(57)【要約】      （修正有）【課題】人体の表面に貼着させて快適度を高めて健康を増進させる一体成形型機能性シームレスソフトブラジャーを提供する。【解決手段】本体１０を備える一体成形型機能性シームレスソフトブラジャーであって、本体は、少なくとも１つのチップと、少なくとも２つの保護シート１２と、を含み、チップは、人体に遠赤外線を照射して血流を増進させる材料からなり、保護シートは、球面状、波状又は曲率を有する立体形状の立体状を呈するとともに、可撓性材料からなってチップを覆ってこれを保護し、人体の表面に貼着されることを特徴とする。【選択図】図２
0003193916.tif 000002
【実用新案登録請求の範囲】
【請求項１】
本体を備える一体成形型機能性シームレスソフトブラジャーであって、
本体は、少なくとも１つの機能材と、少なくとも２つの保護シートと、を含み、保護シートは、立体状を呈するとともに、可撓性材料からなって機能材を覆い、
保護シートは、立体状を呈して可撓性材料の特性を有するため、人体の表面に貼着されると機能材の効果を得て、使用の快適度を高めて健康を増進させることを特徴とする一体成形型機能性シームレスソフトブラジャー。
【請求項２】
保護シートは、間隔をおいて配設された複数の収納ユニットを有し、
機能材は、収納ユニットに対応して設けられ、収納ユニットは環状配列されていることを特徴とする請求項１に記載の一体成形型機能性シームレスソフトブラジャー。
【請求項３】
保護シートは立体状を呈し、
立体状とは、球面状、波状又は曲率を有する立体形状であることを特徴とする請求項１に記載の一体成形型機能性シームレスソフトブラジャー。
【請求項４】
本体は、２つの収納ユニット間の中間部位に形成された複数の折り線を有し、
保護シートは、折り線に隣接した箇所に形成された少なくとも１つの穿孔を有することを特徴とする請求項１に記載の一体成形型機能性シームレスソフトブラジャー。
【請求項５】
保護シートは、ＥＶＡ材料、ＰＣ材料、ＰＶＣ材料、ＰＵ材料、又は可塑性繊維材がコートされた布材からなり、
機能材は、チップ、磁石、パワーストーン、薬材又は液体機能液であることを特徴とする請求項１に記載の一体成形型機能性シームレスソフトブラジャー。
【考案の詳細な説明】
【技術分野】
【０００１】
本考案は、ソフトブラジャに関し、特に、一体成形型機能性シームレスソフトブラジャーに関する。
【背景技術】
【０００２】
図１を参照する。図１は、従来のパッケージ構造のチップセットを示す斜視図である。図１に示すように、従来のパッケージ構造のチップセットは、少なくとも２つの固定膜１を有し、固定膜１により複数のチップ２を覆ってチップセット３が形成されている。実際の使用では、アイマスク、ベルトなどを利用して身体に貼着させるが、人体に貼り付けて覆うと、チップセット３は人体に対して遠赤外線を照射し、遠赤外線が人体に対して微量のエネルギを放出するため、人体の水の分子が共振により吸収され、変角振動が発生して血流が増進されて新陳代謝が高まり、大きめの水の分子集団が分解されて小さめの水の分子集団に形成され、殺菌、消臭などの作用を得て調理を行う。
【０００３】
しかし、上述したような従来のパッケージ構造のチップセットは、固定膜１によりチップ２を覆ってチップセット３を構成するが、固定膜１がシート状であるためチップセット３が立体形状でなく、大きな角度で自在に曲げることはできなかった。そのため、ユーザはチップセット３を覆って使用する際、可動範囲が制限され、自在に曲げることができない上、チップセット３を人体の曲線表面に貼着させ、適宜装着することはできなかった。そのため、一部のメーカは、従来のパッケージ構造のチップセットに対し、固定膜１の両側を突合わせて固定膜１を立体状に形成し、人体の曲線表面にチップセット３を完全な形で貼り付けることができるが、固定膜１には接合箇所があるため、固定膜１の立体状設置に誤差が生じ易く、人体部位の表面に貼着させることができない上、長時間使用したり不適切に使用したりした場合、接合箇所が変質して損壊し、固定膜１が平坦状に戻ってしまい、人体表面に完全な状態で貼り付けることができなくなるおそれがあった。
【考案の概要】
【考案が解決しようとする課題】
【０００４】
本考案の目的は、良好な可撓性を有して人体に対応し、人体の表面に貼着させて快適度を高めて健康を増進させる一体成形型機能性シームレスソフトブラジャーを提供することにある。
【課題を解決するための手段】
【０００５】
上記課題を解決するために、本考案の第１の形態によれば、本体を備える一体成形型機能性シームレスソフトブラジャーであって、本体は、少なくとも１つの機能材と、少なくとも２つの保護シートと、を含み、保護シートは、立体状を呈するとともに、可撓性材料からなって機能材を覆い、保護シートは、立体状を呈して可撓性材料の特性を有するため、人体の表面に貼着されると機能材の効果を得て、使用の快適度を高めて健康を増進させることを特徴とする一体成形型機能性シームレスソフトブラジャーが提供される。
【図面の簡単な説明】
【０００６】
【図１】従来のパッケージ構造のチップセットを示す斜視図である。
【図２】本考案の第１実施形態に係る一体成形型機能性シームレスソフトブラジャーを示す斜視図である。
【図３】本考案の第１実施形態に係る一体成形型機能性シームレスソフトブラジャーを示す分解斜視図である。
【図４】本考案の第２実施形態に係る一体成形型機能性シームレスソフトブラジャーを示す斜視図である。
【図５】本考案の第２実施形態に係る一体成形型機能性シームレスソフトブラジャーを被装着物に装着するときの使用状態の説明図である。
【考案を実施するための形態】
【０００７】
（第１実施形態）
図２及び図３を参照する。図２は、本考案の第１実施形態に係る一体成形型機能性シームレスソフトブラジャーを示す斜視図である。図３は、本考案の第１実施形態に係る一体成形型機能性シームレスソフトブラジャーを示す分解斜視図である。図２及び図３に示すように、本考案の一実施形態に係る一体成形型機能性シームレスソフトブラジャーは、少なくとも本体１０から構成される。
【０００８】
本体１０は、少なくとも１つの機能材１１と、少なくとも２つの保護シート１２と、を含む。保護シート１２は立体状を呈する。ここで立体状とは、球面状、波状又は曲率を有する立体形状でもよい。保護シート１２は、可撓性材料からなり、複数の機能材１１を覆ってもよい。機能材１１は、チップ、磁石、パワーストーン、薬材又は液体機能液でもよい。機能材１１は円形シート状を呈する。本実施形態の保護シート１２は球面状を例にとっているが、機能材１１にはチップを選択して用いてもよい。チップは人体に対して遠赤外線を照射し、微量のエネルギを放射する。２つの保護シート１２は、可撓性材料からなってもよい。可撓性材料とは、ＥＶＡ材料、ＰＣ材料、ＰＵ材料、ＰＶＣ材料又は可塑性繊維材がコートされた布材でもよい。本体１０の保護シート１２の一側には、間隔をおいて複数の収納ユニット１３が配設されている。これら複数の収納ユニット１３は、保護シート１２の中央部を中心に環状配列されている。収納ユニット１３は、保護シート１２の一側に形成された複数の凹槽１３２と、保護シート１２の他側に形成された凸部１３１と、を有する。これら複数の機能材１１は、一方の保護シート１２の複数の凹槽１３２にそれぞれ対応して設置され、他方の保護シート１２の複数の凸部１３１は、機能材１１に対応して結合され、複数の機能材１１の両側には、複数の保護シート１２がそれぞれ設けられ、本体１０は、一体成形されて設置される。
【０００９】
図３を参照する。図３は、本考案の第１実施形態に係る一体成形型機能性シームレスソフトブラジャーを示す分解斜視図である。図３に示すように、第１実施形態に係る一体成形型機能性シームレスソフトブラジャーを実際に使用する際、これら複数の保護シート１２は、球面状を呈し、撓性材料の特性を有する。そのため、ユーザは一体成形型機能性シームレスソフトブラジャーを人体へ対応して貼着させ、保護シート１２の一側を人体の表面に貼着させたときの快適度を高めるとともに、機能材１１の特殊な治療効果を得ることができる。本考案の第１実施形態では、チップを例にとると、チップが銅、炭素、シリコン、マンガン、リン、イオウ、ニッケル、ゲルマニウム、カドミウム、モリブデン、チタン、バナジウムなどの材料を一定の比率で混合して形成し、チップは人体に対して遠赤外線を照射する。遠赤外線は、人体に対して微量のエネルギを照射し、人体の水分子の共振により吸収されて変角振動が発生し、血流が促進されて新陳代謝が高まり、大きめの水の分子集団を小さめの水の分子集団へ分解するとともに、殺菌、消臭などの作用を得て、従来技術と比べ、パッケージ構造を有するチップセットはシート状で立体感がない上、自在に折り曲げることができないため、人体の曲線表面へ貼着することができず、装着した際不快に感じる虞があり、一体成形で設置し、保護シート１２の球面状と、可撓性材料の特性とにより、人体表面へ貼着させてユーザが使用の快適度を高めるとともに、機能材による特殊な治療効果を得ることもできるため、ユーザの健康を増進させることができる。
【００１０】
（第２実施形態）
図４を参照する。図４は、本考案の第２実施形態に係る一体成形型機能性シームレスソフトブラジャーを示す斜視図である。図４に示すように、本考案の第２実施形態は、本体１０の一側に複数の折り線１２１が形成されている点において第１実施形態と異なる。折り線１２１は、溝、ミシン目などでもよい。折り線１２１は、互いに隣接した２つの収納ユニット１３間の中間箇所に形成され、折り線１２１に隣接した側には少なくとも１つの穿孔１２２が形成されている。第２実施形態の本体１０は、保護シート１２の中央部に形成された穿孔１２２を有する。穿孔１２２に隣接した周側には、複数の透気孔１２３が形成されている。このように穿孔１２２により本体１０は自在に曲がる可撓性を有する。本体１０は、折り線１２１により大きな角度で自在に曲がることができるため、可撓性の伸縮活動空間を得るとともに、透気孔１２３の透気効果を得て、可撓性及び透気効果を高めることができる。
【００１１】
図４及び図５を参照する。図４は、本考案の第２実施形態に係る一体成形型機能性シームレスソフトブラジャーを示す斜視図である。図５は、本考案の第２実施形態に係る一体成形型機能性シームレスソフトブラジャーを被装着物に装着するときの使用状態の説明図である。図４及び図５に示すように、本体１０は、ブラジャー２０内に配設され、ユーザが装着すると、複数の機能材１１はユーザの人体に対し特殊な治療効果を与えることができる。上述した第１実施形態ではチップを例に説明している。チップは人体に対して遠赤外線を照射する。遠赤外線は、人体に対して微量なエネルギを照射し、血流を促進させて新陳代謝を高める。また、本体１０は、複数の折り線１２１と、穿孔１２２とにより折り曲げることが可能な伸縮空間を得て、ブラジャー２０は、ユーザの胸の形を自動的に調整し、ユーザの胸の形に合わせて完全に貼り合わせることができる上、透気孔１２３の透気効果により快適に装着することができる。
【００１２】
上述したことから分かるように、本考案の一体成形型機能性シームレスソフトブラジャーの本体１０は、一体成形かつシームレスの特徴を有する上、見た目が良い上に耐久性が高く、人体表面へ完全に貼着させることができるため、ユーザが使用するときの快適度を高め、使用するときに不快感を感じることがない。
【符号の説明】
【００１３】
１      固定膜
２      チップ
３      チップセット
１０    本体
１１    機能材
１２    保護シート
１３    収納ユニット
２０    ブラジャー
１２１  折り線
１２２  穿孔
１２３  透気孔
１３１  凸部
１３２  凹槽
【図１】
0003193916.tif 000003
【図２】
0003193916.tif 000004
【図３】
0003193916.tif 000005
【図４】
0003193916.tif 000006
【図５】
0003193916.tif 000007
【手続補正書】
【提出日】平成26年8月27日(2014.8.27)
【手続補正１】
【補正対象書類名】実用新案登録請求の範囲
【補正対象項目名】全文
【補正方法】変更
【補正の内容】
【実用新案登録請求の範囲】
【請求項１】
本体を備える一体成形型機能性シームレスソフトブラジャーであって、
上記本体は、少なくとも１つのチップと、少なくとも２つの保護シートと、を含み、上記チップは、人体に遠赤外線を照射して血流を増進させる材料からなり、上記保護シートは、球面状、波状又は曲率を有する立体形状の立体状を呈するとともに、可撓性材料からなって上記チップを覆ってこれを保護し、人体の表面に貼着されることを特徴とする一体成形型機能性シームレスソフトブラジャー。
【請求項２】
前記保護シートは、間隔をおいて配設された複数の収納ユニットを有し、
前記チップは、上記収納ユニットに対応して設けられ、該収納ユニットは環状配列されていることを特徴とする請求項１に記載の一体成形型機能性シームレスソフトブラジャー。
【請求項３】
前記本体は、２つの前記収納ユニット間の中間部位に形成された複数の折り線を有し、
前記保護シートは、折り線に隣接した箇所に形成された少なくとも１つの穿孔を有することを特徴とする請求項２に記載の一体成形型機能性シームレスソフトブラジャー。
【請求項４】
前記保護シートは、ＥＶＡ材料、ＰＣ材料、ＰＶＣ材料、ＰＵ材料、又は可塑性繊維材がコートされた布材からなることを特徴とする請求項１に記載の一体成形型機能性シームレスソフトブラジャー。